(57)【特許請求の範囲】
【請求項１】
構体に表面パネルを取付けるための取付具であって、基部がパネル側に固定され先端に構体側の取付孔に嵌合すべく縮径可能で先端外周に抜止め用突部が形成された嵌合部を有する弾性資材よりなる取付具本体と、前記構体側の取付孔を通過し得る外径を有し前記取付具本体の嵌合部内に嵌入してこれを拡開させ、前記突部を取付孔の内面側に係合させるための駒と、この駒に一端が固定された軸上にあって前記取付具本体のバネ受と前記軸のバネ受との間に嵌挿された弾性体とらなり、前記駒には前記嵌合部の先端を係合して嵌合部を縮径状態に保持するための係合凹部を設け、パネル取付時にこの係合凹部に嵌合部を係合縮径させて取付孔を通過すかるとき取付孔の内周で前記嵌合部が押されて駒から外れるよう形成し、取付孔通過後駒が前記弾性体の付勢により嵌合部内に嵌入することにより嵌合部が拡径してその突部が取付孔の内面に係合し取付状態となるようにしたことを特徴とするパネル取付具。
【請求項２】
構体に表面パネルを取付けるための取付具であって、
平面視角筒状に形成された基部がパネル側に固定され先端に構体側の取付孔に嵌合し得る嵌合部を有する取付具本体と、
基部がパネル側に枢支され先端に傾斜面が形成され構体側の係合孔に係合自在なフック部材と、
このフック部材を前記係合孔に係合させる方向に付勢する付勢手段と、
前記フック部材を前記付勢手段の付勢に抗して係合解除方向に揺動させる取外し用の操作部材と
を具有し、
前記操作部材は、前記フック部材と直角をなすよう実質的に一体に形成され、表面パネルに穿設された操作用孔に面しておかれ、クロスを介して前記操作用孔を通じ押せるようになっている
ことを特徴とするパネル取付具。
【発明の詳細な説明】
【０００１】
【発明の属する技術分野】
本発明はパネルの取付具に係り、特にパーティーション表面パネルの取付けに適用して最適なパネル取付具に関する。
【０００２】
【従来の技術】
間仕切りやデスク間に設立されるパーティーションには、例えば図９〜図１１に示すように予め柱材１、枠体２等により形成された構体３に所定の大きさに形成された表面パネル４，４…を取付けて所望高さのパーティーション５とするようになされたものがある。
【０００３】
このような表面パネル４の構体３への取付けには、従来図１１、図１２に示すような取付具６を用いるもの、あるいは表面パネル４および構体３に平面ファスナ（商品名マジックテープ）の雄・雌を接着剤により貼着しておき、このファスナにより表面パネル４を構体３に取付けるようになされている。
【０００４】
上記従来の取付具６は、弾性を有する合成樹脂により形成され、その基部６ａの外周に形成された溝６ｂが表面パネル４の内部の補強パネル７の孔に嵌着され、この取付具６の先端の筒状の嵌合部６ｃが複数条のスリット６ｄにより内方へ撓めるように形成されているとともにこの嵌合部６ｃの外周端に突部６ｅが形成されたものであり、この嵌合部６ｃを構体３側のフレームの取付孔８に圧入することによりその突部６ｅが取付孔８を通過したとき図１１、図１２（Ｂ）のようにその突部６ｅが取付孔８の内側に係止されて抜めされ、表面パネル４が構体３に取付けられるようになっている。なお符号９は表面パネル４の外面に貼られたクロスを示す。
【０００５】
【発明が解決しようとする課題】
しかるに上記従来の取付具では、合成樹脂製の取付具６の嵌合部６ｃのみで構体３の取付孔８に嵌着されるのみであるから、経時によりゆるみやすく、表面パネル４がずれたりして体裁を損なうことをはじめ、表面パネル４の内側の構体３内を配線空間として利用するようになされている場合、表面パネル４を繰返して嵌め外しすると嵌合部６ｃの突部６ｅが摩耗したり、嵌合部６ｃの弾性が失われて外れやすくなるなどの問題点があった。
【０００６】
一方、平面ファスナを使用したものは、表面パネル４の着脱は容易であるが、構体３側および表面パネル４側にそれぞれ平面ファスナを接着により取付けることになるためこの接着部分が剥れやすく、表面パネル４の剥脱につながるという難点がある。
【０００７】
本発明は、パネルの取付けが確実にでき、取外す際にも簡単に取外すことができながら、繰返しの着脱に対してもゆるみや脱落を生じることのないパネル取付具を提供することを課題としてなされたものである。
【０００８】
【課題を解決するための手段】
上記課題を解決する手段として本発明は、構体に表面パネルを取付けるための取付具であって、基部がパネル側に固定され先端に構体側の取付孔に嵌合すべく縮径可能で先端外周に抜止め用突部が形成された嵌合部を有する弾性資材よりなる取付具本体と、前記構体側の取付孔を通過し得る外径を有し前記取付具本体の嵌合部内に嵌入してこれを拡開させ、前記突部を取付孔の内面側に係合させるための駒と、この駒に一端が固定された軸上にあって前記取付具本体のバネ受と前記軸のバネ受との間に嵌挿された弾性体とからなり、前記駒には前記嵌合部の先端を係合して嵌合部を縮径状態に保持するための係合凹部を設け、パネル取付時にこの係合凹部に嵌合部を係合縮径させて取付孔を通過するとき取付孔の内周で前記嵌合部が押されて駒から外れるよう形成し、取付孔通過後駒が前記弾性体の付勢により嵌合部内に嵌入することにより嵌合部が拡径してその突部が取付孔の内面に係合し取付状態となるようにしたこと、および構体に表面パネルを取付けるための取付具であって、基部がパネル側に固定され先端に構体側の取付孔に嵌合し得る嵌合部を有する取付具本体と、基部がパネル側に枢支され先端に構体側の係合孔に係合自在なフック部材と、このフック部材を前記係合孔に係合させる方向に付勢する付勢手段と、前記フック部材を前記付勢手段の付勢に抗して係合解除方向に揺動させる取外し用の操作部材とを具有する構成としたことにある。
【０００９】
【発明の実施の形態】
以下、本発明を図面に示す実施の形態につき、図９、図１０と共通する部材にはこれと同一符号を用いて説明する。
【００１０】
図１〜図３は本発明によるパネル取付具の一実施形態を示すもので、図１は隣接する表面パネル４，４を構体３に取付けた状態を示し、右側は断面図として示している。また図２（Ａ）は取付前、図２（Ｂ）は取付後の各断面図を、図３は取外し時の状態の断面図を示している。
【００１１】
上記実施形態におけるパネル取付具１０は、弾性に富む合成樹脂により形成された取付具本体１１と、硬質な合成樹脂等により形成された駒１２と、弾性体としてのコイルバネ１３とからなっている。
【００１２】
前記取付具本体１１は、外周に表面パネル４内の補強パネル７の孔に嵌着される溝１４を有する基部１５と、この基部１５に連設され構体３側の取付孔８に嵌合すべく複数条のスリット１６により縮径可能とされた筒状の嵌合部１７と、この嵌合部１７内に設けられたバネ受１８と、前記嵌合部１７の先端部外周に突設され前記取付孔８に嵌合したのちその内面側に係合して抜止めとなる抜止め用突部１９とで構成されている。
【００１３】
前記駒１２は断面逆台形状を有し、外周のテーパー面１２ａが前記取付具本体１１の嵌合部１７の内周に嵌合したとき当該嵌合部１７を拡開してその外周面が構体３側の取付孔８の内周面に密着されるとともに抜止め用突部１９が取付孔８の内面側に係合して抜出し不能となるくさび作用を奏するようになっている。
【００１４】
上記駒１２には軸２０の一端の止着部２０ａが挿着され、この軸２０の他端にはバネ受２１が形成されており、このバネ受２１の外端の小径端部２２が表面パネル４の位置決め孔２３に嵌合するようになっており、前記バネ受２１と前記取付具本体１１内のバネ受１８との間の軸２０には弾性体としてのコイルバネ１３が嵌挿されている。そして上記小径端部２２が位置決め孔２３に嵌合したとき丁度駒１２が図２（Ｂ）のように前記嵌合部１７の先端内所定位置に嵌入するように構成されている。
【００１５】
前記駒１２の下面には前記嵌合部１７の薄くなった先端１７ａが係合する係合凹部２４が形成されており、この係合状態で前記構体３の取付孔８に通すとき嵌合部１７の抜止め用突部１９の外周面が取付孔８の内周面により押されて縮径し、前記先端１７ａが前記係合凹部２４から外れるようになっている。
【００１６】
したがって表面パネル４内に組付ける際には、図２（Ａ）に示すように取付具本体１１の嵌合部１７の先端１７ａを駒１２の係合凹部２４に係合させて嵌合部１７が縮径した状態として表面パネル４内に組付けておく。
【００１７】
この表面パネル４を構体３側に取付けるべくその取付孔８にパネル取付具１０を挿入すると、その挿入途上で嵌合部１７の抜止め用突部１９の外周面が取付孔８の内周面に接触してさらに縮径方向に押され、これにより嵌合部１７の先端１７ａが係合凹部２４から外れる。
【００１８】
抜止め用突部１９が取付孔８を通過し終ると、嵌合部１７の弾性により急激に拡張し、図２（Ｂ）に示すように抜止め用突部１９が取付孔８の内面側に係合すると同時に、駒１２はコイルバネ１３の付勢により嵌合部１７内に瞬時に引込まれ、そのテーパー面１２ａが嵌合部１７内に圧入して嵌合部１７を拡張状態に保持する。これにより嵌合部１７の抜止め用突部１９が取付孔８に係合した状態が維持され、取付けたのちにゆるみを生じることがない。
【００１９】
表面パネル４を取外したいときは、図３に示すように針状部材２５によりクロス９を通して軸２０を一杯に押し込むと駒１２は嵌合部１７内から外れ、この状態で表面パネル４を引けば嵌合部１７はスリット１６により縮径して取付孔８を通過し、取付孔８から抜き外すことができる。
【００２０】
図４、図５は本発明の他の実施形態を示すもので、図４は隣接する表面パネル４，４を構体３に取付ける状態を示し、右側は取付完了後、左側は取外し時の断面図であり、図５は同正面を示すが、左側は表面パネル４に形成された操作用孔２６を、右側は図４の右側の正面を示している。
【００２１】
この実施形態におけるパネル取付具３０は、合成樹脂により形成された取付具本体３１と、フック部材３２と、このフック部材３２を付勢するバネ３３と、フック部材３２を解除動作させる操作部材３４とで構成されている。
【００２２】
前記取付具本体３１は、平面視角筒状に形成されたもので、外周に表面パネル４内の補強パネル７の孔に嵌着される溝３５を有する基部３６と、この基部３６に連設され構体３側の取付孔８に可及的密に嵌挿される嵌合部３７とで構成され、前記基部３６および嵌合部３７の軸方向の一側部にそって前記フック部材３２が設けられる。
【００２３】
上記フック部材３２は、基端が軸３８により前記取付具本体３１の基部３６に枢支され、そのフック部３２ａは構体３側の枠体２の側面に形成された係合孔３９に係脱自在とされ、このフック部材３２の背部と取付具本体３１との間には圧縮バネ３３が介装されている。このフック部材３２のフック部３２ａはその先端からフック部３２ａにかけて傾斜面３２ｂとされており、構体３への挿入時には上記傾斜面３２ｂが枠体２の側面により押されてバネ３３を撓ませながら通過し、表面パネル４が構体３に密接したときフック部３２ａが前記係合孔３９に係合するようになっている。
【００２４】
前記操作部材３４は、前記フック部材３２と直角をなすよう実質的に一体に形成され、この操作部材３４は表面パネル４に穿設された操作用孔２６に面しておかれ、クロス９を介してこの孔２６を通じ操作部材３４を押せるようになっている。
【００２５】
したがって表面パネル４を構体３に取付けるには、取付具本体３１の嵌合部３７を構体３側の取付孔８に挿入すると、フック部材３２は枠体２の側面によりバネ３３に抗し押しのけられながら進入する。挿入終端に至ると、フック部材３２のフック部３２ａが枠体２の係合孔３９に到達し、この時点でバネ３３の付勢によりフック部材３２が軸３８を支点に回動してそのフック部３２ａが係合孔３９に係合する。これにより抜止め状態となって表面パネル４が取付けられる。
【００２６】
表面パネル４を取外すときは、表面パネル４の操作用孔２６から手指あるいは他の適当な道具により操作部材３４を押すと、図４の左側に示すようにフック部材３２がバネ３３に抗して回動し、フック部３２ａが係合孔３９から外れて取付具本体３１を抜き出すことができる。
【００２７】
図６、図７は上記実施形態における操作部材３４をスライド式とした変形例を示すもので、表面パネル４の内面にそってスライド部材４０がスライド範囲を規制して設けられ、このスライド部材４０の孔４１に前記フック部材３２の基端３２ｃが嵌挿されており、このスライド部材４０を表面パネル４の端面に穿設した操作孔４２から図６の左側図示のように針状部材２５等を挿入して押動させることによりフック部材３２のフック部３２ａを係合孔３９から外すようになされている。
【００２８】
したがってこの実施形態の場合は表面パネル４の外面内に前述の実施形態における操作用孔２６を設ける必要がないので、クロス９が撓んで見苦しくなることがない。
【００２９】
なお上記各実施形態におけるパネル取付具は、１枚の表面パネル４の四隅部に設けるようにするほか、図８に略示するように表面パネル４の背面の両端下隅部はフック４３を固設し、両端上隅部のみにパネル取付具を設けるようにして、表面パネル４の下部は構体３側の切孔に係合させたのち上部のパネル取付具で構体３側に取付けるようにすることができる。
【００３０】
【発明の効果】
以上説明したように本発明によれば、表面パネル側に設けたパネル取付具を構体側の取付孔に挿入するだけで抜出し不能の状態に取付けることができるので、ゆるみやぐらつきのない取付状態が得られ、取外しも無理に引抜くことなく抜きとることができるので、取付具本体がへたることがなく、繰返し着脱を行っても表面パネルの取付状態が不安定になったり、外れたりすることを皆無とすることができる。
【図面の簡単な説明】
【図１】本発明の一実施形態を示し、隣接する表面パネルを取付けた状態を示す一部を断面とした平面図。
【図２】本発明によるパネル取付具の作用を示し、（Ａ）は取付前、（Ｂ）は取付後の状態を示す断面図。
【図３】同、取外し時の状態を示す断面図。
【図４】本発明の他の実施形態を示す水平断面図。
【図５】図４の説明的正面図。
【図６】図４の変形例を示す水平断面図。
【図７】図６の説明的正面図。
【図８】本発明によるパネル取付具の設け方を示す略示側面図。
【図９】本発明の適用対象例として示すパーティーションの正面図。
【図１０】同、一部の分解斜視図。
【図１１】従来のパネル取付具により表面パネルを取付けた状態を示す水平断面図。
【図１２】従来のパネル取付具を示し、（Ａ）は取付前、（Ｂ）は取付後の状態を示す断面図。
【符号の説明】
２  枠体
３  構体
４  表面パネル
５  パーティーション
７  補強パネル
９  クロス
１０，４０  パネル取付具
１１，３１  取付具本体
１２  駒
１３，３３  バネ
１７，３７  嵌合部
１９  抜止め用突部
２０  軸
２４  係合凹部
３２  フック部材
３４，４０  操作用部材
【図１】
0004118405.tif 000002
【図２】
0004118405.tif 000003
【図３】
0004118405.tif 000004
【図４】
0004118405.tif 000005
【図５】
0004118405.tif 000006
【図６】
0004118405.tif 000007
【図７】
0004118405.tif 000008
【図８】
0004118405.tif 000009
【図９】
0004118405.tif 000010
【図１０】
0004118405.tif 000011
【図１１】
0004118405.tif 000012
【図１２】
0004118405.tif 000013